(57)【要約】【課題】炉体の予熱、アルミニウム液の保温などを改善し、高効率、省エネかつ安全なアルミニウム液の保温炉を提供する。【解決手段】アルミニウム液の保温炉は、保温炉体２０内に収容空間２４が形成される。収容空間２４内には、少なくとも１つのセラミック棒２５が配設される。保温炉体２０の収容空間２４の上端には、オーブン２１が設けられる。収容空間２４の保温炉体２０は、前部がアルミニウム液注入端２２と連通し、後部がアルミニウム液取出端２３と連通する。収容空間２４中には、アルミニウム液が貯蔵される。セラミック棒２５は、アルミニウム液中に浸漬される。オーブン２１は、内部にアルミニウム液が無いときの保温炉体２０を予熱し得る上、保温炉体２０中のアルミニウム液の保温も行う。オーブン２１及びセラミック棒２５は、保温炉体２０で単独で作動するか同期で作動する。【選択図】図２
0003204328.tif 000002
【実用新案登録請求の範囲】
【請求項１】
アルミニウム液の保温炉であって、
前記保温炉の炉体（以下「保温炉体」という。）内には、収容空間が形成され、前記収容空間内には、少なくとも１つのセラミック棒が配設され、前記保温炉体の前記収容空間の上端には、オーブンが設けられ、前記収容空間の前記保温炉体は、前部がアルミニウム液注入端と連通し、後部がアルミニウム液取出端と連通し、
前記収容空間内には、前記アルミニウム液が貯蔵され、
前記セラミック棒は、前記アルミニウム液中に浸漬され、
前記オーブンは、内部に前記アルミニウム液が無いときの前記保温炉体を予熱可能であり、前記保温炉体中の前記アルミニウム液の保温も行い、
前記オーブン及び前記セラミック棒は、前記保温炉体で単独で作動するか同期で作動することを特徴とするアルミニウム液の保温炉。
【考案の詳細な説明】
【技術分野】
【０００１】
本考案は、アルミニウム液の保温炉に関するものであり、さらに詳しくは、特に、オーブンとセラミック棒との組合せにより構成された加熱構造により保温炉内のアルミニウム液の保温に応用し、高効率、省エネルギーかつ安全な構造に関するものである。
【背景技術】
【０００２】
図４に示すように、従来のアルミニウム液の保温炉は、媒体１０の上端にオーブン１２が架設され、媒体１０内のアルミニウム液１１は、オーブン１２から下方へ供給された熱気により液化状態に保持される。しかしオーブン１２は、空気を熱媒として用いるため、その伝導効果は好ましくなく、媒体１０内のアルミニウム液１１全てを液化するためには、高圧及び高温で処理しなければならないため多くの消費電力が必要である上、伝導効果が理想的でない状況下でエネルギー浪費され、上層のアルミニウム液１１が接触される箇所の温度が非常に高いため、その表面には酸化アルミニウムが頻繁に形成された。そのため、操作員は、媒体１０の動作を正常に維持するために、炉壁に形成された酸化アルミニウムを定期的に除去する必要があった。
【０００３】
図５に示すように、上述した欠点に鑑み、一部のメーカは、セラミック棒１３をアルミニウム液１１による保温に代え、オーブン１２の保温効率が好ましくない状況を確実に改善することができるが、セラミック棒１３の設置コストが高めであるとともに、１つのセラミック棒１３が故障してアルミニウム液１１が凝固してしまうことを防ぐために、一般に１つの媒体１０中に複数組のセラミック棒１３を配置して使用することにより、作業及び装置の安全性を確保することができる。セラミック棒１３には、使用期限があるため、アルミニウム液１１中に長期間浸漬されて十分利用されない場合、資源が無駄となることがあった。
【０００４】
また、セラミック棒１３は、液体を介して熱エネルギーを伝導しなければならないため、媒体１０を初めて使用する場合、媒体１０を予熱することができず、操作員は他の方式により予熱しなければならず、作業も煩雑さが増加するなどの問題点が生じた。
【考案の概要】
【考案が解決しようとする課題】
【０００５】
従って、本考案の主な課題は、保温炉の炉体の予熱、アルミニウム液の保温などを改善し、高効率、省エネルギーでかつ安全なアルミニウム液の保温炉を提供することにある。
本考案のもう一つの課題は、アルミニウム液を保温し、加熱効率が高く、アルミニウム液が凝固して保温炉体が損壊してしまうことを防いでコストを減らすことができるアルミニウム液の保温炉を提供することにある。
【課題を解決するための手段】
【０００６】
そこで、本考案者は、前記課題を解決するため鋭意検討を重ねた結果、保温炉体に取り付けられたオーブン及びセラミック棒を用いることにより、前記第一及び第二の課題を解決できることに着目し、本考案に想到するに至った。
すなわち、本考案の主な目的は、保温炉体の保温構造に取り付けられたオーブン及びセラミック棒により、炉体の予熱、アルミニウム液の保温などを改善し、高効率、省エネルギーかつ安全なアルミニウム液の保温炉を提供することにある。
本考案のもう一つの目的は、セラミック棒によりアルミニウム液を保温し、加熱効率が高く、セラミック棒が故障したときにオーブンを加熱し、アルミニウム液が凝固して保温炉体が損壊してしまうことを防いでセラミック棒の交換にかかる時間を節約し、同一の保温炉体中に多数組のセラミック棒を配置しなくてもコストを減らすことができる、アルミニウム液の保温炉を提供することにある。
かくして、本考案の要旨は次の通りである。
【０００７】
アルミニウム液の保温炉であって、
前記保温炉の炉体（以下「保温炉体」という。）内には、収容空間が形成され、前記収容空間内には、少なくとも１つのセラミック棒が配設され、前記保温炉体の前記収容空間の上端には、オーブンが設けられ、前記収容空間の前記保温炉体は、前部がアルミニウム液注入端と連通し、後部がアルミニウム液取出端と連通し、
前記収容空間内には、前記アルミニウム液が貯蔵され、
前記セラミック棒は、前記アルミニウム液中に浸漬され、
前記オーブンは、内部に前記アルミニウム液が無いときの前記保温炉体を予熱可能であり、前記保温炉体中の前記アルミニウム液の保温も行い、
前記オーブン及び前記セラミック棒は、前記保温炉体で単独で作動するか同期で作動することを特徴とするアルミニウム液の保温炉。
【考案の効果】
【０００８】
本考案は、前記の通りの構成からなり、アルミニウム液の保温を高効率で安定化することができ、凝固することを防止することができる。
【図面の簡単な説明】
【０００９】
【図１】図１は、本考案の一実施形態に係るアルミニウム液の保温炉を示す斜視図である。
【図２】図２は、本考案の一実施形態に係るアルミニウム液の保温炉を示す断面図である。
【図３】図３は、本考案の一実施形態に係るアルミニウム液の保温炉を示す説明図である。
【図４】図４は、従来の装置を示す説明図（１）である。
【図５】図５は、従来の装置を示す説明図（２）である。
【考案を実施するための形態】
【００１０】
以下、本考案の実施形態について図面に基づいて説明する。なお、これによって本考案が限定されるものではない。
【００１１】
図１及び図２を参照する。図１及び図２に示すように、本考案の一実施形態に係るアルミニウム液の保温炉は、保温炉体２０内に収容空間２４が形成されている。収容空間２４内には、少なくとも１つのセラミック棒２５が配設されている。保温炉体２０の収容空間２４の上端には、オーブン２１が設けられる。収容空間２４の保温炉体２０は、前部がアルミニウム液注入端２２と連通し、後部がアルミニウム液取出端２３と連通する。
【００１２】
図２及び図３を参照する。図２及び図３に示すように、保温炉体２０を初めて使用する場合、まず、オーブン２１からの空気熱伝導により保温炉体２０を予熱した後、アルミニウム液３０をアルミニウム液注入端２２から流し込み、収容空間２４中に貯蔵する。アルミニウム液３０が収容空間２４に流し込まれた後は、セラミック棒２５によりアルミニウム液３０を保温し、セラミック棒２５の温度が上昇した後に、オーブン２１をオフすると、アルミニウム液３０は、熱溶融の液体状態に保持され、アルミニウム液取出端２３からアルミニウム液３０を排出して加工作業を行う。セラミック棒２５が故障したときは、オーブン２１をオンして保温を継続的に行い、セラミック棒２５が収容空間２４中で凝固されて保温炉体２０が損壊してしまうことを防ぐ。
【符号の説明】
【００１３】
１０  媒体
１１  アルミニウム液
１２  オーブン
１３  セラミック棒
２０  保温炉体
２１  オーブン
２２  アルミニウム液注入端
２３  アルミニウム液取出端
２４  収容空間
２５  セラミック棒
３０  アルミニウム液
【図１】
0003204328.tif 000003
【図２】
0003204328.tif 000004
【図３】
0003204328.tif 000005
【図４】
0003204328.tif 000006
【図５】
0003204328.tif 000007